(57)【要約】【課題】利用者が注目した部分の意味をキーワードとして閲覧画面を検索でき、さらに閲覧画面の再利用時に注目した意味や注目したときの記憶を想起させる。【解決手段】選択装置によりテキスト情報が選択された後、閲覧画面（１０６）中に利用者にテキスト情報を選択した意味の入力を促すアイコン（２０１）、意味の項目が表示される定型意味選択画面（２０２）、意味の入力結果を表示する意味情報入力画面（２０４）を表示し、意味情報入力装置により意味を入力を可能にし、この意味から検索および再利用を可能にする。  閲覧画面中のテキスト情報の色やデザイン等を利用者が選択もしくは入力した意味に応じて変更するハイライトデザイン変更、定型意味選択画面の意味の項目を変更できる設定変更、閲覧画面中における利用者が選択したテキスト情報に対して選択もしくは入力した意味を保存する選択意味保存を含む。【選択図】図２
2007219876.tif 000002
【特許請求の範囲】
【請求項１】
Ｗｅｂブラウザに表示されている閲覧画面中から利用者が選択したテキスト情報、及び当該閲覧画面に関する情報を蓄積し、当該蓄積した情報を利用者の検索要求に応じて提供する閲覧画面再利用装置であって、
情報を表示するディスプレイと、
前記ディスプレイのＷｅｂブラウザに表示されている閲覧画面からテキスト情報の選択入力を行う選択手段と、
前記選択されたテキスト情報、及び前記閲覧画面に関する情報を蓄積する閲覧履歴管理手段と、
前記選択手段によりテキスト情報が選択された後、前記閲覧画面中に利用者にテキスト情報を選択した意味の入力を促す画面、該意味の項目を表示する定型意味選択画面、および意味の入力結果を表示する意味情報入力画面を表示する手段と、
前記意味を入力する意味情報入力手段と、
前記閲覧画面中における利用者が選択したテキスト情報に対して選択もしくは入力した意味を保存する選択意味保存手段と、
前記閲覧履歴管理手段に蓄積されたテキスト情報をインデックス化した情報、またはキーワード入力手段によるキーワードを受信して前記閲覧履歴管理手段に当該キーワード検索を行いテキスト検索結果を取得するテキスト検索手段と、
前記テキスト検索結果を前記ディスプレイに表示する検索結果表示手段と、
を備えたことを特徴とする閲覧画面再利用装置。
【請求項２】
前記選択手段により選択された状態の色やデザイン等を利用者が選択もしくは入力した意味に応じて変更するハイライトデザイン変更手段を備えたことを特徴とする請求項１に記載の閲覧画面再利用装置。
【請求項３】
前記定型意味選択画面の意味の項目を変更できる設定変更手段を備えたことを特徴とする請求項１または２に記載の閲覧画面再利用装置。
【請求項４】
前記検索結果表示手段による表示結果を意味の項目を利用者が選択することにより、特定の意味を持つ閲覧画面を選択させる意味抽出手段を備えたことを特徴とする請求項１〜３のいずれかに記載の閲覧画面再利用装置。
【請求項５】
前記検索結果表示手段の表示項目として意味やハイライトデザインを追加した拡張検索結果表示手段を備えたことを特徴とする請求項１〜４のいずれかに記載の閲覧画面再利用装置。
【請求項６】
前記閲覧履歴管理手段および選択意味保存手段より利用者が選択したテキスト情報を受け取り利用者に通知する拡張閲覧履歴保存通知手段を備えたことを特徴とする請求項１〜５のいずれかに記載の閲覧画面再利用装置。
【請求項７】
上記の請求項１〜６のいずれかに記載の閲覧画面再利用装置を、コンピュータプログラムで記載してそれを実行可能にしたことを特徴とするプログラム。
【請求項８】
上記の請求項１〜６のいずれかに記載の閲覧画面再利用装置を、コンピュータで実行可能に記載したプログラムを記録したことを特徴とする記録媒体。
【発明の詳細な説明】
【技術分野】
【０００１】
本発明は、インターネットの閲覧中に、閲覧画面のＵＲＬや閲覧中箇所を記録し蓄積する技術と、その蓄積した情報を再利用するための検索および表示する技術に関するものである。
【背景技術】
【０００２】
図９にインターネット閲覧の従来技術の例を示す。図９に示すように、マイクロソフト社のインターネットエクスプローラ（例えば、非特許文献１参照。）などのＷｅｂブラウザ９１のブックマーク機能９２は、閲覧画面９３に任意の名称９５を付けて保管することが可能である。また、任意の名称のフォルダ９６を構成して、閲覧画面９３を保管することも可能である。
【０００３】
そして、保管した閲覧画面９３を付与した名称及びフォルダの一覧９７として表示させ、名称を選択することにより、保管された閲覧画面９３を、Ｗｅｂブラウザ９１に表示する。
【０００４】
インターネット上に存在する膨大な閲覧画面の中から、利用者が発見して有用と判断した閲覧画面を上記のようにして保管しておくことにより、利用者が次回同じ閲覧画面を見たいと思ったとき、名称及びフォルダの一覧９７を表示させる。そして、その中から保管された名称を選択することにより、既に見たことがある見たい閲覧画面に簡単かつ迅速に遷移させることが可能である。
【０００５】
また、フォルダ９６を構成して、任意の名称を付けて保管しておき、名称及びフォルダの一覧９７として表示させることにより、再利用時において、閲覧画面を保管した時の利用者の作業状況を特定することが可能となり、保管された閲覧画面の探索が容易になる。
【０００６】
上記のウェブページ閲覧中に再利用したいページを発見した場合、閲覧頻度が高いものはブックマーク機能を用いて管理を行うが、閲覧頻度が比較的低いものはブックマークそのものにおける課題からブックマーク機能を利用しなくなっており、ブックマーク機能の代替手段として検索サイトなどの検索エンジンにキーワード入力を行って検索している。
【０００７】
しかし、キーワード入力により過去に発見したページを再度探索しようとする場合、過去に検索エンジンの表示結果から遷移したページからさらにリンクを辿って発見したページであるなど、過去の探索プロセスを再現するのが困難となり、多くの時間を要する場合があるなどの問題がある。
【０００８】
そこで、ウェブページ中の特定部分が重要であるという利用者の意思表示をブックマーク登録よりも利用者にとって簡易な方法でかつ個人の行動履歴などを含めた多くの情報を嗜好情報として付加し、この情報を活用することで利用者が要求する閲覧履歴の抽出および表示内容を決定することにより、利用者の利便性向上を図るものがある（例えば、非特許文献２参照）。この方法の要件は、
・利用者が閲覧部分をテキスト選択することにより、嗜好情報付加を行い、テキスト選択部分を保持する。
【０００９】
・利用者のキーワード入力により、テキスト選択部分の抽出および一覧表示する。
【００１０】
・テキスト選択部分とこの選択時の取得できる閲覧時間等の情報を利用して、一覧表示の順位を決定する。
【００１１】
・一覧表示時にテキスト選択したときのサムネールやテキスト選択部分の表示を行い、視覚的にも記憶想起を容易にする。
【００１２】
・一覧表示からウェブページキャッシュに遷移したときに、テキスト選択部分をハイライトしてその探索を容易にする。
【非特許文献１】Ｍｉｃｒｏｓｏｆｔ  Ｉｎｔｅｒｎｅｔ  Ｅｘｐｌｏｒｅｒ：お気に入りを使用したＷｅｂの利用、[ｏｎｌｉｎｅ]、[２００５年３月２２日検索]、インターネット<ＵＲＬ：ｈｔｔｐ：／／ｗｗｗ．ｍｉｃｒｏｓｏｆｔ．ｃｏｍ／ｗｉｎｄｏｗｓ／ｉｅ＿ｉｎｔｌ／ｊａ／ｕｓｉｎｇ／ｈｏｗｔｏ／ｓｈａｒｅ／ｆａｖｏｒｉｔｅｓ．ｍｓｐｘ>
【非特許文献２】大浦啓一郎，日高哲雄，森田哲之，加藤泰久，奥雅博，  ”ＮａＭｉＳＥＮ：ウェブ閲覧履歴への個人嗜好情報付加・抽出ツールの開発”，  電子情報通信学会技術研究報告，ＯＩＳ２００５−１４，Ｖｏｌ．１０５，Ｎｏ．ＯＩＳ−２００，ｐｐ．１１−１６，電子情報通信学会，２００５
【発明の開示】
【発明が解決しようとする課題】
【００１３】
しかし、上記技術には下記の問題点がある。
【００１４】
・閲覧画面上にキーワードとしたい文字列が存在しない場合に、利用者が重要だと思う部分をキーワード検索により抽出できない。
【００１５】
・利用者が閲覧画面中のハイライト表示を閲覧する際、どのように重要だと思ったかであったり、重要度ランク等の情報が存在しないため、記憶想起に資する情報が少ない。
【００１６】
・全て同様のデザインによるハイライト表示のため、テキスト選択時の記憶が想起しにくい。
【００１７】
本発明の目的は、上記の課題を解決した閲覧画面再利用装置、閲覧画面再利用プログラム、及び記録媒体を提供することにある。
【課題を解決するための手段】
【００１８】
本発明は、前記の課題を解決するため、利用者の閲覧画面保管時における閲覧画面上に存在しない文字列をキーワードとして追加する機能、および利用者がサムネール情報の強調表示を閲覧する際の、記憶想起に資する情報を付加させる機能を設けたものであり、以下の装置、プログラムおよび記録媒体を特徴とする。
【００１９】
（１）Ｗｅｂブラウザに表示されている閲覧画面中から利用者が選択したテキスト情報、及び当該閲覧画面に関する情報を蓄積し、当該蓄積した情報を利用者の検索要求に応じて提供する閲覧画面再利用装置であって、
情報を表示するディスプレイと、
前記ディスプレイのＷｅｂブラウザに表示されている閲覧画面からテキスト情報の選択入力を行う選択手段と、
前記選択されたテキスト情報、及び前記閲覧画面に関する情報を蓄積する閲覧履歴管理手段と、
前記選択手段によりテキスト情報が選択された後、前記閲覧画面中に利用者にテキスト情報を選択した意味の入力を促す画面、該意味の項目を表示する定型意味選択画面、および意味の入力結果を表示する意味情報入力画面を表示する手段と、
前記意味を入力する意味情報入力手段と、
前記閲覧画面中における利用者が選択したテキスト情報に対して選択もしくは入力した意味を保存する選択意味保存手段と、
前記閲覧履歴管理手段に蓄積されたテキスト情報をインデックス化した情報、またはキーワード入力手段によるキーワードを受信して前記閲覧履歴管理手段に当該キーワード検索を行いテキスト検索結果を取得するテキスト検索手段と、
前記テキスト検索結果を前記ディスプレイに表示する検索結果表示手段と、
を備えたことを特徴とする。
【００２０】
（２）前記選択手段により選択された状態の色やデザイン等を利用者が選択もしくは入力した意味に応じて変更するハイライトデザイン変更手段を備えたことを特徴とする。
【００２１】
（３）前記定型意味選択画面の意味の項目を変更できる設定変更手段を備えたことを特徴とする。
【００２２】
（４）前記検索結果表示手段による表示結果を意味の項目を利用者が選択することにより、特定の意味を持つ閲覧画面を選択させる意味抽出手段を備えたことを特徴とする。
【００２３】
（５）前記検索結果表示手段の表示項目として意味やハイライトデザインを追加した拡張検索結果表示手段を備えたことを特徴とする。
【００２４】
（６）前記閲覧履歴管理手段および選択意味保存手段より利用者が選択したテキスト情報を受け取り利用者に通知する拡張閲覧履歴保存通知手段を備えたことを特徴とする。
【００２５】
（７）上記の（１）〜（６）のいずれかに記載の閲覧画面再利用装置を、コンピュータプログラムで記載してそれを実行可能にしたことを特徴とする。
【００２６】
（８）上記の（１）〜（６）のいずれかに記載の閲覧画面再利用装置を、コンピュータで実行可能に記載したプログラムを記録したことを特徴とする。
【発明の効果】
【００２７】
以上のとおり、本発明によれば、以下の効果がある。
【００２８】
・利用者が注目した部分を注目した時の意味を付加して保存ができる。
【００２９】
・意味をキーワードとして閲覧画面を検索できる。
【００３０】
・閲覧画面の再利用時に注目したテキスト情報をハイライトすることや、入力した意味情報を再閲覧させることにより注目した意味や注目したときの記憶を想起することができる。
【００３１】
・選択した定型意味により特定の意味を持つ閲覧画面を選択させる意味抽出手段により、特定の意味を持つ閲覧画面をキーワードによらず抽出可能となり、探索効果が向上する。
【発明を実施するための最良の形態】
【００３２】
以下、本発明の実施形態を図面を参照して詳細に説明する。
【００３３】
（基本構成の説明）
図１に閲覧画面再利用装置の基本構成を示し、ディスプレイ装置や外部記憶装置などのコンピュータ資源を利用したソフトウェア構成で実現する。同図に示すように、選択装置（１０２）、閲覧履歴管理装置（１０３）、閲覧履歴保存通知装置（１０４）、テキスト検索装置（１０５）、閲覧画面ランク判定装置（１０７）、検索結果表示装置（１０８）が構成要素となる。なお、（１０１）はウェブブラウザ、（１０６）は閲覧画面である。
【００３４】
選択装置（１０２）は、マウス、視点追跡装置など、閲覧画面中のテキスト情報を選択する。閲覧履歴管理装置（１０３）は、閲覧画面中で選択されたテキスト情報、閲覧画面のＵＲＬ、テキスト選択時の閲覧画面のサムネール情報、選択されたテキスト情報の閲覧画面中における位置情報、閲覧画面を閲覧した時間などを保存し一元管理を行う。閲覧履歴保存通知装置（１０４）は、閲覧履歴管理装置（１０３）に保存された内容を利用者に表示し通知する。テキスト検索装置（１０５）は、キーボードなどの入力装置によるキーワード入力により閲覧画面の抽出を行う。
【００３５】
閲覧画面ランク判定装置（１０７）は、テキスト検索装置（１０５）より抽出された閲覧画面（１０６）を閲覧履歴管理装置に保存されている閲覧画面を閲覧した時間やテキスト検索装置により算出されたキーワードとの適合度合などに基づき、閲覧画面の利用者にとっての重要度を解析し判定する。
【００３６】
検索結果表示装置（１０８）は、再利用時に必要な閲覧画面をキーボード装置等の入力装置からのキーワード入力により抽出し、ＵＲＬ、テキスト文字列、サムネール、閲覧画面タイトルなどを一覧として閲覧画面（１０９）の重要度やテキスト検索装置のキーワードとの適合度合などに基づいてランキング表示させる。
【００３７】
（付加要素）
上記の構成において、画面処理機能および情報処理機能として、コンピュータ資源を利用した以下のものをソフトウェア構成で実現する。
【００３８】
図２及び図３に示すように、選択装置（１０２）によりテキスト情報が選択された後、閲覧画面（１０６）中に利用者にテキスト情報を選択した意味の入力を促す画像等によるアイコン（２０１）、意味の項目が表示される定型意味選択画面（２０２）、意味を入力する意味情報入力装置（２０３）、意味の入力結果を表示する意味情報入力画面（２０４）、閲覧画面中のテキスト情報の選択装置により選択された状態の色やデザイン等を利用者が選択もしくは入力した意味に応じて変更するハイライトデザイン変更装置（２０５）、定型意味選択画面の意味の項目を変更できる設定変更装置（２０６）、閲覧画面中における利用者が選択したテキスト情報に対して選択もしくは入力した意味を保存するデータベースとしての選択意味保存装置（２０７）を設ける。
【００３９】
また、図４に示すように、検索結果表示装置（１０８）による表示結果を意味の項目を利用者が選択することにより、特定の意味を持つ閲覧画面を選択させる意味抽出装置（２０８）、検索結果表示装置（１０８）の表示項目として意味やハイライトデザインを追加した拡張検索結果表示装置（２０９）、閲覧履歴管理装置（１０３）および選択意味保存装置（２０７）より利用者が選択したテキスト情報を受け取り利用者に通知する拡張閲覧履歴保存通知装置（２１０）を設ける。
【００４０】
（装置の全体構成と動作）
上記の基本構成および付加要素による装置の全体構成を図５に示す。この構成による動作を閲覧画面保管時と再利用時に分けて説明する。
【００４１】
（基本構成による閲覧画面保管処理）
・閲覧画面（１０６）を閲覧中に、利用者が重要だと思う閲覧画面（１０６）中の一部分を選択装置（１０２）により選択する。
【００４２】
・選択装置（１０２）により選択されたときに、当該閲覧画面（１０６）のＵＲＬ、閲覧画面のサムネール情報、閲覧画面中で選択されたテキスト情報、当該閲覧画面を閲覧した総時間を閲覧履歴管理装置（１０３）に保存する。
【００４３】
・閲覧履歴管理装置（１０３）に保存すると同時に、閲覧履歴保存通知装置（１０４）に保存された内容を表示し利用者に通知する。
【００４４】
・テキスト検索装置（１０５）により、閲覧履歴管理装置（１０３）に保存されたテキスト情報をインデックス化し、再利用時のキーワード入力に備える。
【００４５】
・閲覧画面ランク判定装置（１０７）は、閲覧画面（１０６）の閲覧時間を監視する。
【００４６】
（追加要素による閲覧画面保管処理）
・ウェブブラウザ上でテキスト選択を実施し完了するとアイコン（２０１）が図２のように表示される。
【００４７】
・アイコンをクリックなどすると定型意味選択画面（２０２）と意味情報入力画面（２０４）が表示される。
【００４８】
・利用者が定型意味選択画面（２０２）に表示されている定型意味を選択すると、ハイライトデザイン変更装置（２０５）が現在選択しているテキスト情報のハイライトデザインを変更して表示させる。
【００４９】
・利用者が意味情報入力装置（２０３）により意味を入力すると、意味情報入力画面（２０４）に意味が表示される。
【００５０】
・選択意味保存装置（２０７）および閲覧履歴管理装置（１０３）は、利用者が選択した内容や入力した内容をテキスト選択した情報とともに保存する。図６に選択意味保存装置（２０７）としてのデータベースのデータ構造例を示す。
【００５１】
（基本構成による再利用処理）
・再利用時の作業状態に応じてテキスト検索装置（１０５）にキーワードを入力することにより、入力したキーワードを含む閲覧履歴管理装置（１０３）に保管されている情報を、検索結果表示装置（１０８）により情報を一覧表示させる。
【００５２】
・検索結果表示装置（１０８）に一覧表示されている閲覧画面（１０９）のタイトルや閲覧画面のサムネール情報などを選択することにより、閲覧画面保管時にテキスト選択された閲覧画面を表示させる。
【００５３】
（追加要素による再利用処理）
・選択したテキスト情報や閲覧画面中の情報および入力した意味情報を基にテキスト検索装置（１０５）により閲覧画面の抽出を行う。
【００５４】
・テキスト検索装置（１０５）が出力したそれぞれの情報空間内における適合度より閲覧画面ランク判定装置（１０７）により閲覧画面の抽出と表示順位を決定する。
【００５５】
・決定された表示順位を基に拡張検索結果表示装置（２０９）に図７のように表示させる。
【００５６】
・表示されたサムネールを選択すると、閲覧履歴管理装置（１０３）および選択意味保存装置（２０７）の情報を基に、拡張閲覧履歴保存通知装置（２１０）によりテキスト情報がハイライトされた閲覧画面が表示される。
【００５７】
・拡張検索結果表示装置（２０９）には意味抽出装置（２０８）を付属させ、図８のように、チェックボックスを利用者が操作することによりチェックボックスにチェックされた意味情報を有する閲覧画面のみを抽出し表示する。
【００５８】
・なお、定型意味選択画面における意味および意味とハイライトデザインの対応付けは利用者が事前に設定変更装置（２０６）により変更できる。
【００５９】
（実施形態の効果）
本実施形態によれば、以下の効果がある。
【００６０】
・利用者がテキスト選択を実施した意味をテキスト選択した閲覧画面中の情報とともに残しておくことが可能となり閲覧画面を再利用したい時の探索効率が向上する。
【００６１】
・再利用時に閲覧画面上にハイライトデザインや入力した意味情報を再現して表示させることにより、利用者の記憶想起を容易にする。
【００６２】
・本実施形態はテキスト選択を実施した閲覧画面を再利用するために検索する効率を高めるものであるが、キーワード検索においてテキスト選択部分やその閲覧画面中に利用者が再利用時に入力してヒットさせたいキーワードが存在しない場合がある。そのような場合において、意味情報をテキスト検索装置の検索対象に加えることにより、利用者の好みに応じたキーワードで抽出することが可能となり検索効率がさらに高まる効果がある。
【００６３】
・選択した定型意味により特定の意味を持つ閲覧画面を選択させる意味抽出手段により、特定の意味を持つ閲覧画面をキーワードによらず抽出可能となり、探索効果が向上する。
【００６４】
（ビジネスモデル適用例）
・本実施形態をデスクトップ検索システムの付加機能として組み込むことにより、テキスト選択した情報に利用者のテキスト選択した意味により絞込みを行って表示させることが可能となり探索効率が向上する。
【００６５】
・テキスト情報に意味を付加してハイライトデザインを変更させることにより、デスクトップ検索における検索結果から閲覧画面内の目的情報の文章等の特定箇所に到達する効率が向上する。
【００６６】
・デスクトップ検索ツールのビジネスモデルは個人の嗜好情報を取得し効果的に閲覧画面上に広告等を表示させることにより収益を得る。
【００６７】
・利用者のキーワードのみならず注目した特定文章や特定文章に対する利用者の感想や注目した意味を取得することが可能となり、個人の嗜好情報をより高精度に取得できるものとなる。
【００６８】
・利用者の探索効率が向上するためデスクトップ検索ツールの利用拡大に寄与する。
【００６９】
(プログラム等)
なお、上記実施形態において、閲覧画面再利用装置は、閲覧画面再利用装置を構成するコンピュータ装置が有するＣＰＵによって実現され、意味情報入力処理、ハイライトデザイン変更処理、設定変更処理、選択意味保存処理、意味抽出処理、拡張検索結果表示処理、拡張閲覧履歴保存通知処理、テキスト検索処理、閲覧画面ランク判定処理、閲覧履歴保存通知処理、及び検索結果表示処理などをアプリケーションプログラムとして搭載することができる。
【００７０】
また、意味情報入力処理、選択意味保存処理、拡張検索結果表示処理、拡張閲覧履歴保存通知処理などで行った処理結果、計算結果、当該処理に必要な情報等のデータを内部メモリや外部記憶装置等に書き込み・読み出しができるようにしてもよい。
【００７１】
また、閲覧画面再利用装置の機能を実現するソフトウェアのプログラムコードを記録した記録媒体を、システム、又は装置に供給し、そのシステム、又は装置のＣＰＵ（ＭＰＵ）が記憶媒体に格納されたプログラムコードを読み出し実行することも可能である。この場合、記憶媒体から読み出されたプログラムコード自体が上記実施形態の機能を実現することになり、このプログラムコードを記憶した記憶媒体としては、例えば、ＣＤ−ＲＯＭ、ＤＶＤ−ＲＯＭ、ＣＤ−Ｒ、ＣＤ−ＲＷ、ＭＯ、及びＨＤＤ等がある。
【図面の簡単な説明】
【００７２】
【図１】本発明の実施形態を示す閲覧画面再利用装置の基本構成図。
【図２】実施形態における閲覧画面の例を示す図。
【図３】実施形態における画面例と構成要素を示す図。
【図４】実施形態における意味抽出装置と拡張検索結果表示装置の出力例を示す図。
【図５】実施形態における基本構成と付加要素による装置の全体構成図。
【図６】実施形態におけるデータベースのデータ構造例を示す図。
【図７】実施形態における拡張検索結果の表示例を示す図。
【図８】実施形態における意味情報を有する閲覧画面のみの抽出表示例を示す図。
【図９】インターネット閲覧画面の例を示す図。
【符号の説明】
【００７３】
１０１…ウェブブラウザ
１０２…選択装置
１０３…閲覧履歴管理装置
１０４…閲覧履歴保存通知装置
１０５…テキスト検索装置
１０６…閲覧画面
１０７…閲覧画面ランク判定装置
１０８…検索結果表示装置
１０９…閲覧画面
１１０…キーボード（入力装置）
２０２…定型意味選択画面
２０３…意味情報入力装置
２０４…ハイライトデザイン変更装置
２０６…設定変更装置
２０７…選択意味保存装置
２０８…意味抽出装置
２０９…拡張検索結果表示装置
２１０…拡張閲覧履歴保存通知装置
【図５】
2007219876.tif 000003
【図６】
2007219876.tif 000004
【図７】
2007219876.tif 000005
【図１】
2007219876.tif 000006
【図２】
2007219876.tif 000007
【図３】
2007219876.tif 000008
【図４】
2007219876.tif 000009
【図８】
2007219876.tif 000010
【図９】
2007219876.tif 000011